(57)【特許請求の範囲】
【請求項１】
前胴回り域と、後胴回り域と、前記前後胴回り域の間に位置する股間域とを有し、前記股間域から前後胴回り域へ延び出す縦長の吸収構造体を備える使い捨ておむつであって、
前記吸収構造体は、吸収体と、前記吸収体の両側縁から前記吸収体の幅方向両外側に延び出す一対の延出部とを備え、
前記延出部はシート材の積層体で形成されるとともに、前記吸収体の側縁から幅方向に離間して縦方向に延びる遠位縁と、前記吸収体の側縁と前記遠位縁との間に位置して縦方向に延びるカフ分岐線と、前記カフ分岐線と前記遠位縁との間に延在するレッグギャザー部と、前記カフ分岐線から分岐して前記レッグギャザー部と交差する方向に延び出す防漏カフ部とを備え、
前記レッグギャザー部は、前記幅方向において互いに間隔を空けて前記縦方向へ延びる複数条のレッグ弾性部材を有し、
前記防漏カフ部は、前記カフ分岐線から幅方向に離間並行して前記縦方向に延びる自由縁を有し、
前記カフ分岐線から前記遠位縁までの距離の方が、前記カフ分岐線から前記自由縁までの距離よりも大きく、
前記レッグギャザー部に含まれるシート材の層数の方が、前記防漏カフ部に含まれるシート材の層数より多く、
１本の前記レッグ弾性部材が、前記延出部において前記カフ分岐線と重なって位置することを特徴とする使い捨ておむつ。
【請求項２】
前記レッグギャザー部に３層以上のシート材が含まれ、前記３層以上のシート材が、接着または溶着により接合される、請求項１に記載の使い捨ておむつ。
【請求項３】
前記レッグギャザー部が、少なくとも３層のシート材と、前記少なくとも３層のシート材のうち互いに隣接する２層のシート材の間に前記縦方向に伸長された状態で接合される少なくとも４本の前記レッグ弾性部材とを備え、
前記幅方向における前記レッグ弾性部材の間隔が６ｍｍ以下である、請求項１または２に記載の使い捨ておむつ。
【請求項４】
前胴回り域と、後胴回り域と、前記前後胴回り域の間に位置する股間域とを有し、前記股間域から前後胴回り域へ延び出す縦長の吸収構造体を備える使い捨ておむつであって、
前記吸収構造体は、吸収体と、前記吸収体の両側縁から前記吸収体の幅方向両外側に延び出す一対の延出部とを備え、
前記延出部はシート材の積層体で形成されるとともに、前記吸収体の側縁から幅方向に離間して縦方向に延びる遠位縁と、前記吸収体の側縁と前記遠位縁との間に位置して縦方向に延びるカフ分岐線と、前記カフ分岐線と前記遠位縁との間に延在するレッグギャザー部と、前記カフ分岐線から分岐して前記レッグギャザー部と交差する方向に延び出す防漏カフ部とを備え、
前記防漏カフ部は、前記カフ分岐線から前記幅方向に離間並行して前記縦方向に延びる自由縁を有し、
前記カフ分岐線から前記遠位縁までの距離の方が、前記カフ分岐線から前記自由縁までの距離よりも大きく、
前記レッグギャザー部に含まれるシート材の層数の方が、前記防漏カフ部に含まれるシート材の層数より多く、
前記防漏カフ部が前記レッグギャザー部と別体に設けられ、
前記防漏カフ部は、２層のシート材と、前記２層のシート材の間に縦方向に伸長された状態で接合される少なくとも１条のカフ弾性部材を備え、
前記防漏カフ部に含まれる前記２層のシート材の内の少なくとも１層が前記レッグギャザー部に延び出して前記レッグギャザー部に含まれることを特徴とする使い捨ておむつ。
【請求項５】
前記防漏カフ部から前記レッグギャザー部に延び出す少なくとも１層の前記シート材が、前記レッグギャザー部に含まれるシート材に接着または溶着される、請求項４に記載の使い捨ておむつ。
【請求項６】
前記吸収構造体の前記幅方向において、前記防漏カフ部から前記レッグギャザー部に延び出す少なくとも１層の前記シート材と、前記レッグギャザー部とが重なり合う領域の幅が、前記カフ分岐線から前記遠位縁までの距離の少なくとも８０％である、請求項４または５に記載の使い捨ておむつ。
【請求項７】
前記カフ分岐線において、前記防漏カフ部と前記レッグギャザー部とがホットメルト接着剤により接合されている、請求項１から６のいずれかに記載の使い捨ておむつ。
【請求項８】
前記吸収構造体の縦方向両端部に位置する前端領域と後端領域がそれぞれ前記前胴回り域と前記後胴回り域に固定され、
前記レッグギャザー部のうち前記前端領域及び前記後端領域に位置する部分が、前記吸収構造体の幅方向外側向きで前記前胴回り域及び前記後胴回り域に対し固定され、
前記防漏カフ部のうち前記前端領域及び前記後端領域に位置する部分が、前記吸収構造体の幅方向内側向きで前記前胴回り域及び前記後胴回り域に対し固定される、請求項１から７のいずれかに記載の使い捨ておむつ。
【発明の詳細な説明】
【技術分野】
【０００１】
本発明は、使い捨ておむつに関する。
【背景技術】
【０００２】
従来、使い捨ておむつは公知である。例えば、特許文献１には、トップシートと、バックシートと、吸収体と、一対のサイドシートを備え、バックシートはトップシートの幅方向両端縁よりも，幅方向の外側に延出した延出部を有する使い捨ておむつが開示されている。一対のサイドシートは、トップシートとの接合点である第１接合部よりも幅方向の外側に位置する部分が、バックシートの延出部に対し、第２接合部において延出部の長手方向に亘って接合されている。また、一対のサイドシートは、第２接合部によってバックシートの延出部に対して接合された部分において、バックシートの肌対向面側に２層以上に重なっている。
【先行技術文献】
【特許文献】
【０００３】
【特許文献１】特開２０１４−１７１６８８号公報
【０００４】
特許文献１に開示された発明によれば、液漏れを効果的に防止できる使い捨ておむつが提供される。
【発明の概要】
【発明が解決しようとする課題】
【０００５】
しかし、特許文献１に開示された使い捨ておむつでは、着用者の鼠蹊部にフィットすることにより防漏カフとして機能するサイドフラップの自由部分の長さの方が、着用者の脚回りにフィットすることによりレッグギャザーとして機能する固定部分の長さより大きくなっている。このため、使い捨ておむつの使用時に、サイドフラップの自由部分が着用者の脚によっておむつの外に引きずり出され、防漏カフとして十分機能しないおそれがある。また、レッグギャザーとして機能する固定部分に配置された糸状の弾性部材の本数が少ないため、おむつの使用時に固定部分が幅方向に蛇腹状に縮んでしまい、着用者の脚回りに適正にフィットしないおそれがある。
【０００６】
以上に鑑み、本発明は、フィット性が改良された使い捨ておむつを提供することを課題とする。
【課題を解決するための手段】
【０００７】
本発明は、前胴回り域と、後胴回り域と、前後胴回り域の間に位置する股間域とを有し、股間域から前後胴回り域へ延び出す縦長の吸収構造体を備える使い捨ておむつに関する。
【０００８】
第１発明の使い捨ておむつは、吸収構造体は、吸収体と、吸収体の両側縁から吸収体の幅方向両外側に延び出す一対の延出部とを備え、延出部はシート材の積層体で形成されるとともに、吸収体の側縁から幅方向に離間して縦方向に延びる遠位縁と、吸収体の側縁と遠位縁との間に位置して縦方向に延びるカフ分岐線と、カフ分岐線と遠位縁との間に延在するレッグギャザー部と、カフ分岐線から分岐してレッグギャザー部と交差する方向に延び出す防漏カフ部とを備え、レッグギャザー部は、幅方向において互いに間隔を空けて縦方向へ延びる複数条のレッグ弾性部材を有し、防漏カフ部は、カフ分岐線から前記幅方向に離間並行して前記縦方向に延びる自由縁を有し、カフ分岐線から遠位縁までの距離の方が、カフ分岐線から自由縁までの距離よりも大きく、レッグギャザー部に含まれるシート材の層数の方が、防漏カフ部に含まれるシート材の層数より多く、１本の前記レッグ弾性部材が、延出部においてカフ分岐線と重なって位置することを特徴とする。
第２発明の使い捨ておむつは、吸収構造体は、吸収体と、吸収体の両側縁から吸収体の幅方向両外側に延び出す一対の延出部とを備え、延出部はシート材の積層体で形成されるとともに、吸収体の側縁から幅方向に離間して縦方向に延びる遠位縁と、吸収体の側縁と遠位縁との間に位置して縦方向に延びるカフ分岐線と、カフ分岐線と遠位縁との間に延在するレッグギャザー部と、カフ分岐線から分岐してレッグギャザー部と交差する方向に延び出す防漏カフ部とを備え、防漏カフ部は、カフ分岐線から前記幅方向に離間並行して前記縦方向に延びる自由縁を有し、カフ分岐線から遠位縁までの距離の方が、カフ分岐線から自由縁までの距離よりも大きく、レッグギャザー部に含まれるシート材の層数の方が、防漏カフ部に含まれるシート材の層数より多く、防漏カフ部がレッグギャザー部と別体に設けられ、防漏カフ部は、２層のシート材と、２層のシート材の間に縦方向に伸長された状態で接合される少なくとも１条のカフ弾性部材を備え、防漏カフ部に含まれる２層のシート材の内の少なくとも１層がレッグギャザー部に延び出してレッグギャザー部に含まれることを特徴とする。
【０００９】
請求項２に係る発明では、レッグギャザー部に３層以上のシート材が含まれ、３層以上のシート材が、接着または溶着により接合される。この実施形態では、レッグギャザー部に３層以上のシート材が含まれることにより、レッグギャザー部の剛性が高くなって幅方向に蛇腹状に収縮することが抑制される結果、レッグギャザー部が着用者の脚に幅広くぴったり面でフィットする。
請求項３に係る発明では、レッグギャザー部が、少なくとも３層のシート材と、少なくとも３層のシート材のうち互いに隣接する２層のシート材の間に縦方向に伸長された状態で接合される少なくとも４本のレッグ弾性部材とを備え、幅方向におけるレッグ弾性部材の間隔が６ｍｍ以下である。この実施形態では、レッグギャザー部に少なくとも４本のレッグ弾性部材が６ｍｍ以下の間隔で配置されていることにより、レッグギャザー部が幅方向に蛇腹状に収縮することが抑制される結果、レッグギャザー部が着用者の脚に幅広くぴったり面でフィットする。
請求項４に係る発明では、防漏カフ部がレッグギャザー部と別体に設けられ、防漏カフ部は、２層のシート材と、２層のシート材の間に縦方向に伸長された状態で接合される少なくとも１条のカフ弾性部材を備え、防漏カフ部に含まれる２層のシート材の内の少なくとも１層がレッグギャザー部に延び出してレッグギャザー部に含まれる。この実施形態では、防漏カフ部に含まれる２層のシート材の内の少なくとも１層がレッグギャザー部に含まれることにより、レッグギャザー部の剛性が向上して幅方向に蛇腹状に収縮することが抑制される結果、レッグギャザー部が着用者の脚に幅広くぴったり面でフィットする。
請求項５に係る発明では、防漏カフ部からレッグギャザー部に延び出す少なくとも１層のシート材が、レッグギャザー部に含まれるシート材に接着または溶着される。この実施形態では、防漏カフ部からレッグギャザー部に延び出す少なくとも１層のシート材がレッグギャザー部に接着または溶着されることにより、レッグギャザー部の剛性がさらに向上して幅方向に蛇腹状に収縮することが抑制される結果、レッグギャザー部が着用者の脚に幅広くぴったり面でフィットする。
請求項６に係る発明では、吸収構造体の幅方向において、防漏カフ部からレッグギャザー部に延び出す少なくとも１層のシート材と、レッグギャザー部とが重なり合う領域の幅が、カフ分岐線から遠位縁までの距離の少なくとも８０％である。この実施形態では、防漏カフ部からレッグギャザー部に延び出すシート材が、レッグギャザー部の少なくとも８０％に重なることにより、レッグギャザー部の剛性がさらに向上して幅方向に蛇腹状に収縮することが抑制される結果、レッグギャザー部が着用者の脚に幅広くぴったり面でフィットする。
請求項７に係る発明では、カフ分岐線において、防漏カフ部とレッグギャザー部とがホットメルト接着剤により接合されている。これにより、おむつの使用時に防漏カフ部が着用者の鼠蹊部にフィットし、さらにレッグギャザー部が着用者の脚に幅広くぴったり面でフィットする。
請求項８に係る発明では、吸収構造体の縦方向両端部に位置する前端領域と後端領域がそれぞれ前胴回り域と後胴回り域に固定され、レッグギャザー部のうち前端領域及び後端領域に位置する部分が、吸収構造体の幅方向外側向きで前胴回り域及び後胴回り域に対し固定され、防漏カフ部のうち前端領域及び後端領域に位置する部分が、吸収構造体の幅方向内側向きで前胴回り域及び後胴回り域に対し固定される。このようにレッグギャザー部が外向きに固定され、防漏カフ部が内向きに固定されていることにより、防漏カフ部がレッグギャザー部を乗り越えてレッグギャザー部の外へ飛び出すことをより確実に防ぐことができる。
【発明の効果】
【００１０】
本発明では、カフ分岐線から遠位縁までの距離の方が、カフ分岐線から自由縁までの距離よりも大きいので、おむつの使用時に防漏カフ部が着用者の脚によっておむつの外に引きずり出されることが防止され、さらに、レッグギャザー部に含まれるシート材の層数の方が、防漏カフ部に含まれるシート材の層数より多いので、レッグギャザー部が幅方向に蛇腹状に収縮することが抑制される。これにより、フィット性が改良された使い捨ておむつが提供される。
【図面の簡単な説明】
【００１１】
図面は、本発明の特定の実施の形態を示し、発明の不可欠な構成ばかりでなく、選択的及び好ましい実施の形態を含む。
【図１】本発明に係る使い捨ておむつの斜視図。
【図２】図１の使い捨ておむつの一部破断展開図。
【図３】図１の使い捨ておむつの一部破断分解斜視図。
【図４】図１のＩＶ−ＩＶ線断面図。
【図５】本発明の変形例を表す図。
【発明を実施するための形態】
【００１２】
下記の実施の形態は、本発明の使い捨ておむつ１０（以下、おむつ１０と記す）に関し、発明の不可欠な構成ばかりでなく、選択的及び好ましい構成を含む。
【００１３】
図１〜３を参照すると、おむつ１０は、前胴回り域１１と、後胴回り域１２と、前後胴回り域１１，１２の間に位置する股間域１３とを有し、股間域１３から前後胴回り域１１，１２へ延び出す縦長の吸収構造体２１を備える。図２，３に示すように、吸収構造体２１は、吸収体２２と、吸収体２２の両側縁２３,２３から吸収体２２の幅方向Ｘ両外側に延び出す一対の延出部３１とを備える。なお、本願では、おむつ１０の幅方向Ｘに直交する方向を縦方向Ｙと呼ぶ。
【００１４】
本実施形態では、前胴回り域１１と、後胴回り域１２はそれぞれ、前ウエストパネル１４と後ウエストパネル１５で形成される。前ウエストパネル１４と後ウエストパネル１５はいずれも、内面シート１６と外面シート１７との間に、複数本のウエスト弾性糸１８が幅方向Ｘに伸長された状態で接合された矩形のシート部材である。前ウエストパネル１４と後ウエストパネル１５それぞれの幅方向Ｘ中央部には、矩形の吸収構造体２１の縦方向Ｙ両端部に位置する前端領域２４と後端領域２６が固定される。股間域１３は、吸収構造体２１の前端領域２４と後端領域２６の間に位置する中間領域２５により形成される。
【００１５】
前ウエストパネル１４と後ウエストパネル１５は、それぞれの幅方向Ｘ両側に位置して縦方向Ｙに延びるシーム域６４において、接着または溶着により接合される。これにより、ウエスト開口６２と、一対のレッグ開口６３が形成され、図１に示すパンツ型（プルオンタイプとも呼ばれる）のおむつ１０が得られる。詳しくは、ウエスト開口６２は前後ウエストパネル１４，１５の上辺１４ａ，１５ａにより形成され、レッグ開口６３は前後ウエストパネル１４，１５の下辺１４ｂ，１５ｂのうち吸収構造体２１の幅方向Ｘ外側に位置する部分と、吸収構造体２１の中間領域２５の側縁部２７とにより形成される。
【００１６】
前後ウエストパネル１４，１５を形成する内面シート１６と外面シート１７には、本発明が属する技術分野で公知の不織布または樹脂フィルムを用いることができる。また、ウエスト弾性糸１８には、公知の弾性糸を用いることができ、例えばポリウレタン系の弾性糸を用いることができる。内外面シート１６，１７にウエスト弾性糸１８を接着により接合する際には、本発明が属する技術分野で公知のホットメルト接着剤を用いることができる。また、吸収構造体２１に配置される吸収体２２には、公知のおむつ用の吸収体２２を用いることができ、例えば高吸収性ポリマー及びフラッフパルプ（図示せず）の少なくとも一方が含まれる吸収コア６５を、ティッシュペーパ等の透液性シート６９で包んだ吸収体２２を用いることができる。
【００１７】
本実施形態の吸収構造体２１は、着用者の肌に対向する肌対向面と、その反対側の非肌対向面とを有し、吸収体２２と、吸収体２２の肌対向面側に位置するトップシート６６と、吸収体２２の非肌対向面側に位置して吸収体２２の幅方向Ｘ両外側に延び出す外装複合シート２８と、吸収体２２の幅方向Ｘ両外側に配置されるとともに外装複合シート２８の肌対向面に接合される一対の肌側複合シート２９とを備える。すなわち、吸収体２２の両側縁２３，２３から吸収体２２の幅方向Ｘ両外側に延び出す一対の延出部３１は、外装複合シート２８の吸収体２２の幅方向Ｘ両外側に延び出す部分と、一対の肌側複合シート２９とが含まれる、シート材の積層体である。
【００１８】
延出部３１は、吸収体２２の側縁２３から幅方向Ｘに離間して縦方向Ｙに延びる遠位縁３２と、吸収体２２の側縁２３と遠位縁３２との間に位置して縦方向Ｙに延びるカフ分岐線３３と、カフ分岐線３３と遠位縁３２との間に延在するレッグギャザー部４１と、カフ分岐線３３から分岐してレッグギャザー部４１と交差する方向に延び出す防漏カフ部５１とを備える。防漏カフ部５１は、カフ分岐線３３から幅方向Ｘに離間並行して縦方向Ｙに延びる自由縁５２を有する。なお、図２，３ではカフ分岐線３３を一点鎖線で表している。
【００１９】
外装複合シート２８には、吸収体２２の非肌対向面に配置され吸収体２２の幅方向Ｘ外側に延出する矩形の防漏フィルム６７と、防漏フィルム６７の非肌対向面に配置され吸収体２２の幅方向Ｘ外側に延出する矩形のバックシート６８とが含まれる。防漏フィルム６７の幅方向Ｘ寸法は、吸収構造体２１の幅方向Ｘ寸法と同じか、わずかに小さい。バックシート６８の幅方向Ｘ寸法は、防漏フィルム６７の幅方向Ｘ寸法より大きい。バックシート６８において、防漏フィルム６７から幅方向Ｘ両外側に延出する部分は、防漏フィルム６７の側縁６７ａに沿って折り返され、防漏フィルム６７の肌対向面に接合される。バックシート６８を防漏フィルム６７の側縁６７ａに沿って折り返したときの折返し線が、延出部３１の遠位縁３２に相当する。
【００２０】
折り返されたバックシート６８において、縦方向Ｙに延びるバックシート６８の両側縁末端部分６８ａは、吸収体２２の非肌対向面まで延在して吸収体２２と防漏フィルム６７との間に固定されている。また、防漏フィルム６７と、折り返されたバックシート６８との間には、複数条のレッグ弾性部材４２が、縦方向Ｙに伸長された状態で接合されている。複数本のレッグ弾性部材４２の伸長倍率は、互いに等しいか、または、幅方向Ｘにおいてカフ分岐線３３から遠位縁３２に向かうに従いレッグ弾性部材４２の伸長倍率が低くなる。レッグ弾性部材４２は、吸収構造体２１の中間領域２５に配置されるとともに前端領域２４と後端領域２６に延び出す。レッグ弾性部材４２の両端は、ホットメルト接着剤により吸収構造体２１の前端領域２４と後端領域２６に固定されている。防漏フィルム６７及びバックシート６８は公知のシート材を用いて形成することができる。例えば、防漏フィルム６７はプラスチックフィルムを用いて形成することができ、バックシート６８は不織布を用いて形成することができる。
【００２１】
一対の肌側複合シート２９のそれぞれは、縦長の不織布片７５と、少なくとも１条のカフ弾性部材５３とを備える。不織布片７５の縦方向寸法は、吸収構造体２１の縦方向寸法と同じであるか、または小さい。カフ弾性部材５３は、不織布片７５を折返線Ｆに沿って折り返した内側に、縦方向に伸長された状態で折返線Ｆに隣接して接合される。すなわち、本実施形態の肌側複合シート２９では、カフ弾性部材５３は２層のシート材の間に接合されている。また、折返線Ｆは、防漏カフ部５１の自由縁５２に相当する。
【００２２】
肌側複合シート２９は、吸収体２２の側縁２３から幅方向Ｘ両側に延出しているバックシート６８の肌対向面側のそれぞれに接合される。より詳しくは、肌側複合シート２９は、折返線Ｆに並行して縦方向Ｙに延びる外側縁部２９ｃを有し、肌側複合シート２９の外側縁部２９ｃと折返線Ｆとの間において外側縁部２９ｃ寄りに位置する領域が、バックシート６８の肌対向面側に接合される。さらに、肌側複合シート２９の縦方向両端部分２９ａ，２９ｂも、バックシート６８の肌対向面側に接合される。これにより、肌側複合シート２９においてバックシート６８に接合されていない部分が防漏カフ部５１として機能する。肌側複合シート２９とバックシート６８との接合は、ホットメルト接着剤(図示せず)を用いて行うことが好ましい。しかし、肌側複合シート２９とバックシート６８とを、溶着により接合することもできる。なお、肌側複合シート２９は、吸収体２２のトップシート６６には接合されていない。
【００２３】
バックシート６８に接合されたとき、肌側複合シート２９の外側縁部２９ｃは、バックシート６８の折返し線、すなわち延出部３１の遠位縁３２にほぼ一致するか、または延出部３１の遠位縁３２から離れている。バックシート６８に接合された肌側複合シート２９において、バックシート６８に接合された部分と、接合されていない部分との境界線が、縦方向Ｙに延びるカフ分岐線３３となり、カフ分岐線３３から折返線Ｆ、すなわち防漏カフ部５１の自由縁５２に至る領域が防漏カフ部５１となる。一方、肌側複合シート２９においてカフ分岐線３３から延出部３１の遠位縁３２に至る領域は、レッグギャザー部４１に含まれる。本発明では、カフ分岐線３３から遠位縁３２までの距離Ｌ１の方が、カフ分岐線３３から自由縁５２までの距離Ｌ２よりも大きい。また以上の説明から明らかなように、本実施形態では、防漏カフ部５１がレッグギャザー部４１と別体に設けられており、カフ分岐線３３において、防漏カフ部５１とレッグギャザー部４１とが、溶着又は接着により接合されている。
【００２４】
図１を参照して、おむつ１０の使用時には、防漏カフ部５１の自由縁５２に隣接して接合されたカフ弾性部材５３が収縮することにより、防漏カフ部５１はカフ分岐線３３を基端として吸収体２２に対し起立した状態となって着用者の鼠蹊部にフィットするとともに、排泄物がおむつ１０の外に漏出することを防止する。図２に示すように、本実施形態では、カフ分岐線３３から遠位縁３２までの距離Ｌ１の方が、カフ分岐線３３から自由縁５２までの距離Ｌ２よりも大きいので、おむつ１０の使用時に、防漏カフ部５１が着用者の脚によってレッグギャザー部４１を越えておむつ１０の外に引きずり出されることが防止される。好ましくは、カフ分岐線３３から自由縁５２までの距離Ｌ２は、カフ分岐線３３から遠位縁３２までの距離Ｌ１の５０％〜９０％である。さらに、本実施形態では、吸収構造体２１の縦方向Ｙ両端部に位置する前端領域２４と後端領域２６がそれぞれ前胴回り域１１と後胴回り域１２に固定されており、レッグギャザー部４１のうち前端領域２４及び後端領域２６に位置する部分が、吸収構造体２１の幅方向Ｘ外側向きで前胴回り域１１及び後胴回り域１２に対し固定されている。また、防漏カフ部５１のうち前端領域２４及び後端領域２６に位置する部分が、吸収構造体２１の幅方向Ｘ内側向きで前胴回り域１１及び後胴回り域１２に対し固定されている。このように、レッグギャザー部４１が幅方向Ｘ外向きに固定され、防漏カフ部５１が幅方向Ｘ内向きに固定されていることにより、防漏カフ部５１がレッグギャザー部４１を乗り越えておむつ１０の外に引きずり出されることをより確実に防ぐことができる。防漏カフ部５１がおむつ１０の外に引きずり出された状態では、レッグギャザー部４１の防漏機能が十分に発現されないため、防漏カフ部５１がおむつ１０の外に引きずり出されることを防止することが好ましい。また、防漏カフ部５１がおむつ１０の外に引きずり出されることを防止すれば、防漏カフ部５１とレッグギャザー部４１とが協働して二重の防漏機能が発現される。したがって、防漏カフ部５１の機能が損なわれることが無い。
【００２５】
図１に示すように、レッグギャザー部４１は、おむつ１０の外側に向けて筒状に突き出す。これにより、レッグギャザー部４１が着用者の脚回りに幅広くぴったり面でフィットする。また、図４に示すように、本実施形態ではレッグギャザー部４１に少なくとも４層のシート部材が含まれている一方、防漏カフ部５１は２層のシート部材が含まれている。このようにレッグギャザー部４１に含まれるシート材の層数の方が、防漏カフ部５１に含まれるシート材の層数より多いことにより、レッグギャザー部４１の剛性が相対的に高くなって、おむつ１０の外側に筒状に突き出すレッグギャザー部４１が幅方向Ｘに蛇腹状に収縮することが抑制される。したがって、着用者が脚を動かしたときでも、レッグギャザー部４１と着用者の脚の間に隙間ができにくく、排泄物の漏出が防止される。さらに、レッグギャザー部４１が幅方向Ｘに蛇腹状に収縮することが抑制されることにより、着用者の脚にギャザー跡がつくことを抑制できる。なお、本発明でレッグギャザー部４１の剛性が高いというときは、レッグギャザー部４１がおむつ１０の幅方向Ｘに変形しにくいことを意味する。
【００２６】
肌側複合シート２９において、防漏カフ部５１となる部分では、不織布が２層になっている。しかし、肌側複合シート２９の外側縁部２９ｃにおいても不織布が２層になっている必要はなく、図４に示すように、外側縁部２９ｃに含まれる不織布が１層だけであってもよい。すなわち、肌側複合シート２９を構成する２層の不織布の内の１層がレッグギャザー部４１に延び出してレッグギャザー部４１に含まれていてもよい。これにより、レッグギャザー部４１に含まれるシート材の層数が増加して、レッグギャザー部４１の剛性が増加する。また、肌側複合シート２９からレッグギャザー部４１に延び出す不織布は、レッグギャザー部４１の肌対向面側に位置するシート材に、接着または溶着により接合することが好ましい。これにより、レッグギャザー部４１の剛性がさらに増加する。レッグギャザー部４１の剛性を十分向上させるためには、肌側複合シート２９からレッグギャザー部４１に延び出すシート材と、レッグギャザー部４１とが重なり合う領域の幅は、カフ分岐線３３から遠位縁３２までの距離の少なくとも８０％であることが好ましい。また、肌側複合シート２９から少なくとも１層のシート材をレッグギャザー部４１に延び出させ、レッグギャザー部４１の末端部、すなわち延出部３１の遠位縁３２にほぼ一致するまで延在させることもできる。
【００２７】
レッグギャザー部４１の剛性を向上させるためには、レッグギャザー部４１に含まれるシート材どうしを、接着または溶着により接合することが好ましい。シート材どうしを接合するホットメルト接着剤または溶着部もレッグギャザー部４１の剛性の向上に寄与するので、おむつ１０の使用時にレッグギャザー部４１が幅方向Ｘに蛇腹状に収縮することがより有効に抑制される。図４に、ホットメルト接着剤６１を用いてレッグギャザー部４１に含まれるシート材どうしを接合する例を示す。レッグギャザー部４１に含まれるシート材どうしをホットメルト接着剤により接合するとき、ホットメルト接着剤６１をレッグ弾性部材４２に交差する方向（すなわち幅方向Ｘ成分を含む方向）に線状に塗布することが好ましい。縦方向Ｙに延びるレッグ弾性部材４２に対し交差する方向にホットメルト接着剤６１を塗布することにより、おむつ１０の使用時にレッグギャザー部４１が幅方向Ｘに収縮して幅方向Ｘに蛇腹状になることを抑制することができる。このようなホットメルト接着剤６１の塗布パターンの具体例として、スパイラル状または波状の塗布パターンが挙げられる。なお、図４では理解を容易にするためにシート材どうしを接合するホットメルト接着剤６１の一部のみを図示している。図４において任意のシート部材間にホットメルト接着剤を塗布できることは言うまでもない。
【００２８】
前述のように、レッグギャザー部４１に縦方向Ｙに配置される複数本のレッグ弾性部材４２の両端は、吸収構造体２１の前端領域２４と後端領域２６に固定されている。したがってレッグ弾性部材４２も、レッグギャザー部４１が幅方向Ｘに収縮して幅方向Ｘに蛇腹状になることを抑制可能である。すなわち、レッグ弾性部材４２の本数を増やすとともにレッグ弾性部材４２間の間隔を狭くすることにより、レッグギャザー部４１が幅方向Ｘに蛇腹状に収縮することを抑制できる。具体的には、レッグ弾性部材４２の本数は４本以上であることが好ましく、６本以上であることがより好ましい。また、複数条のレッグ弾性部材４２の間隔が６ｍｍ以下であることが好ましく、５ｍｍ以下であることがより好ましい。レッグ弾性部材４２には、例えば繊度が約３００〜９４０ｄｔｅｘのポリウレタン系弾性糸を用いることができるが、これに限定されない。また、ポリウレタン系弾性糸に代えて伸縮不織布または伸縮フィルムを用いることもできる。これらの弾性部材の伸長倍率は、典型的には２．０〜２．３倍であるが、これに限定されない。
【００２９】
図４に示すように、幅方向Ｘにおいて、カフ分岐線３３を吸収体２２の外側に配置するとともに、防漏カフ部５１に含まれるシート材をレッグギャザー部４１に向けて延出させることが好ましい。これにより、吸収体２２の側縁２３とカフ分岐線３３との間の領域に含まれるシート材の層数が、カフ分岐線３３から遠位縁３２までの領域、すなわちレッグギャザー部４１に含まれるシート材の層数よりも少なくなる。このようにカフ分岐線３３を境としてシート材の層数が変化することにより、レッグギャザー部４１がカフ分岐線３３に沿って曲がりやすくなる結果、レッグギャザー部４１がおむつ１０の外側に向けて突き出しやすくなる。また、レッグギャザー部４１は吸収体２２に近接して縦方向Ｙに延びるカフ分岐線３３を介して吸収体２２を持ち上げて、着用者の体に吸収体２２を近づけやすくなる。好ましくは、吸収体２２の側縁２３からカフ分岐線３３までの距離は、カフ分岐線３３から遠位縁３２までの距離の５％から３０％である。なお、おむつ１０の各部の寸法は、図２に例示するようにおむつ１０を平面に展開し、おむつ１０の表面に皺が形成されていない状態で測定する。
【００３０】
さらに、延出部３１においてカフ分岐線３３と重なる位置に、１本のレッグ弾性部材４２を配置することが好ましい。前述のように、複数本のレッグ弾性部材４２の伸長倍率は、互いに等しいか、または、幅方向Ｘにおいてカフ分岐縁３３から遠位縁３２に向かうに従いレッグ弾性部材４２の伸長倍率が低くなるように設定されている。したがって、おむつ１０の使用時におけるレッグ弾性部材４２の収縮量は、カフ分岐線３３から遠位縁３２に向かうに従い小さくなるか、または変化しない。この結果、おむつ１０の使用時に、延出部３１においてカフ分岐線３３から遠位縁３２に至る領域、すなわちレッグギャザー部４１は、次第に拡径する円錐台状の形状または円筒状となっておむつ１０の外側に突き出す。さらに、カフ分岐線３３と重なる位置にレッグ弾性部材４２を配置することにより、防漏カフ部５１の基端が確実に着用者の脚に密着して、排泄物の漏出が防止される。
【００３１】
本発明について図１から図４を参照して説明したが、本発明はこれに限定されず、種々変更して実施することができる。例えば、図５（ａ）に示すように、防漏カフ部５１をレッグギャザー部４１とは別体のシート材の積層体にする代わりに、防漏カフ部５１とレッグギャザー部４１とを同一のシート材で形成することができる。図５（ａ）に示す例では、１枚の不織布から成るバックシート６８を折り返して、防漏カフ部５１とレッグギャザー部４１とを一体に形成している。図５（ａ）に示す例に代えて、吸収体２２の幅方向Ｘ両側に、防漏カフ部５１とレッグギャザー部４１とが一体となったシート材の積層体を一つずつ配置することもできる（図示せず）。別言すれば、本発明では、防漏カフ部５１とレッグギャザー部４１とが一体となった一対の延出部３１を吸収体２２とは別体で形成することができる。また、１枚の不織布から成るバックシート６８を折り返して、防漏カフ部５１とレッグギャザー部４１とを形成し、レッグギャザー部４１に含まれるシート材を折り返す回数を図５（ａ）に示す例よりも増やすことにより、レッグギャザー部４１に含まれるシート材の層数を、防漏カフ部５１に含まれるシート材の層数よりも多くすることもできる。
【００３２】
さらに別の変形例として、図５（ｂ），（ｃ）に示すように、レッグギャザー部４１に、レッグギャザー部４１とは別体の補強シート７６をホットメルト接着剤６１により接合することが挙げられる。補強シート７６は、不織布またはプラスチックフィルムを用いて形成することができる。補強シート７６は、レッグギャザー部４１を構成するシート材の積層体の任意の位置に配置することができる。図５（ｂ）は、補強シート７６をレッグギャザー部４１の肌対向面側に配置した例である。図５（ｃ）は、レッグギャザー部４１を構成するシート材の積層体の層間に、補強シート７６を配置した例である。このほか、補強シート７６をレッグギャザー部４１の非肌対向面側に配置することもできる（図示せず）。なお、図５（ａ）〜（ｃ）では理解を容易にするためにシート材どうしを接合するホットメルト接着剤６１の一部のみを図示している。図５（ａ）〜（ｃ）において任意のシート部材間にホットメルト接着剤を塗布できることは言うまでもない。
【００３３】
図示例では、防漏フィルム６７は幅方向Ｘにおいて延出部３１の遠位縁３２から離れている。これにより、延出部３１の遠位縁３２、すなわち、レッグギャザー部４１の遠位縁３２の剛性が過度に高くなって着用者の肌を刺激することを抑制することができる。しかし、防漏フィルム６７を延出部３１の遠位縁３２まで延在させることもできる。また図示例では前後ウエストパネル１４，１５は、不織布とウエスト弾性糸１８で構成されているが、前後ウエストパネル１４，１５を矩形の伸縮性不織布で構成して弾性糸を省略することもできる。
【符号の説明】
【００３４】
１０    使い捨ておむつ
１１    前胴回り域
１２    後胴回り域
１３    股間域
２１    吸収構造体
２２    吸収体
２３    吸収体の側縁
２４    前端領域
２６    後端領域
３１    延出部
３２    遠位縁
３３    カフ分岐線
４１    レッグギャザー部
４２    レッグ弾性部材
５１    防漏カフ部
５２    自由縁
５３    カフ弾性部材
６１    ホットメルト接着剤
Ｌ１    カフ分岐線から遠位縁までの距離
Ｌ２    カフ分岐線から自由縁までの距離
【図１】
0006495765.tif 000002
【図２】
0006495765.tif 000003
【図３】
0006495765.tif 000004
【図４】
0006495765.tif 000005
【図５】
0006495765.tif 000006